(57)【要約】      （修正有）【課題】ボールマークを修正するのに使い勝手がよく、ティーとしても使用可能なティー兼グリーンフォークを提供する。【解決手段】このティー兼グリーンフォーク１は、軸線方向Ｚの一方側Ｚ１を向く端面の中央部分２１がゴルフボールを載置可能に凹む頭部２と、頭部２から他方側Ｚ２へ延びる胴部３と、胴部３の他方側Ｚ２の端部分から鍔状に張り出す鍔部４と、胴部３から他方側Ｚ２へ延びる脚部５と、を備え、全体的に軸線方向Ｚに沿って延びるように構成される。【選択図】図１
0003213900.tif 000002
【実用新案登録請求の範囲】
【請求項１】
ゴルフ競技においてティーとしてもグリーンフォークとしても使用可能で、軸線方向に延びるティー兼グリーンフォークであって、
前記軸線方向の一方側を向く端面の中央部分がゴルフボールを載置可能に凹む頭部と、
前記頭部から前記一方側と反対側の他方側へ延びる胴部と、
前記胴部の前記他方側の端部分から鍔状に張り出す鍔部と、
前記胴部から前記他方側へ延びる脚部と、を備えるティー兼グリーンフォーク。
【請求項２】
前記胴部は、前記軸線方向と直角をなす第１径方向の幅に対し、当該軸線方向及び当該第１径方向と直角をなす第２径方向の幅が狭い部分を有する請求項１に記載のティー兼グリーンフォーク。
【請求項３】
前記鍔部は、前記第１径方向よりも前記第２径方向への張り出し量が大きい請求項２に記載のティー兼グリーンフォーク。
【請求項４】
前記鍔部の前記脚部側の面は、前記第１径方向の側方から見た場合に両端部分が前記他方側へ湾曲する曲面である請求項２または３に記載のティー兼グリーンフォーク。
【請求項５】
前記脚部は、中間部分に段差を有する請求項１ないし４のいずれかに記載のティー兼グリーンフォーク。
【請求項６】
前記脚部は、前記段差に繋がるリブを有する請求項５に記載のティー兼グリーンフォーク。
【請求項７】
前記脚部は、少なくとも一部分において前記軸線方向と直角をなす径方向の向きによって当該径方向の幅が異なる請求項１ないし６のいずれかに記載のティー兼グリーンフォーク。
【請求項８】
前記脚部は、前記第１径方向の幅に対し、前記第２径方向の幅が広い部分を有する請求項２ないし６のいずれかに記載のティー兼グリーンフォーク。
【請求項９】
前記胴部の全部または少なくとも一部分は、前記脚部よりも柔軟な素材で形成されている請求項１ないし８のいずれかに記載のティー兼グリーンフォーク。
【考案の詳細な説明】
【技術分野】
【０００１】
本考案は、ゴルフ競技においてティーとしてもグリーンフォークとしても使用可能なティー兼グリーンフォークに関する。
【背景技術】
【０００２】
ゴルファーは、ゴルフ競技をプレーするに際して、用途に応じて使用するさまざまな道具を携行する。ゴルファーが携行する道具として、スコアメイクの上でも各ホールの１打目（ティーショット）の際にゴルフボールを持ち上げるためのティーは欠かせない。また、ゴルフ競技がスコアメイク以上にエチケットが重要視されるスポーツであるため、グリーンを捉えたゴルフボールがつけてしまった凹み（ボールマーク）を修復するためのグリーンフォークも欠かせない。ゴルファーは、その他グリーン上でボールをマークするためのマーカーやスコアカードに記入するためのペン等、多種類の道具を携行する。
【０００３】
一方でゴルファーは、携行する道具の種類が多くなってくると、携行し忘れたり使用時に道具の取り出しで手間取ったりする場合がある。そこで、ゴルファーが携行する道具の種類を減らすべく、複数の用途に兼用可能な道具が提案されている。たとえば、特許文献１には、「均し具（グリーンフォーク）と組み合わされたティー」が開示されている。この「均し具と組み合わされたティー」は、ゴルフボールを受ける凹状の頂面を有する頭部と、頭部と一体の胴部と、胴部から伸びる複数の脚部とを備える。
【先行技術文献】
【特許文献】
【０００４】
【特許文献１】実用新案登録第３０８７９６６号公報
【考案の概要】
【考案が解決しようとする課題】
【０００５】
特許文献１に開示されている「均し具と組み合わされたティー」は、グリーンフォークとしての使い勝手において、以下の改善すべき課題がある。すなわち、この「均し具と組み合わされたティー」は、脚部から胴部にかけてなだらかに繋がる形状である。このため、この「均し具と組み合わされたティー」を使用するゴルファーは、地面に差し込む際に胴部を強く把持しなければならなく、また把持する指や爪を寄せた土で汚しやすい。
【０００６】
また、ティーとして使用される道具は、以下の課題がある。すなわち、ティーは、ゴルフクラブからの衝撃によって破損及び紛失し、頻繁に交換される道具である。このため、ティーして使用される道具は、ある程度安価に提供されることが好ましい。
【０００７】
本考案は、かかる課題に鑑みてなされたものであり、一般的なティーと比べて大きくコストアップすることなく、ティーとしてもグリーンフォークとしても使い勝手に優れたティー兼グリーンフォークを提供することを主目的とする。
【課題を解決するための手段】
【０００８】
上記課題を解決すべく、第１観点のティー兼グリーンフォークは、ゴルフ競技においてティーとしてもグリーンフォークとしても使用可能で、軸線方向に沿って延びる。また、第１観点のティー兼グリーンフォークは、軸線方向の一方側を向く端面の中央部分がゴルフボールを載置可能に凹む頭部と、頭部から一方側と反対側の他方側へ延びる胴部と、胴部の他方側の端部分から鍔状に張り出す鍔部と、胴部から他方側へ延びる脚部とを備える。
【０００９】
また、第２観点のティー兼グリーンフォークは、第１観点のティー兼グリーンフォークであって、胴部では、軸線方向と直角をなす第１径方向の幅に対し、軸線方向及び第１径方向と直角をなす第２径方向の幅が狭い部分を有する。
【００１０】
また、第３観点のティー兼グリーンフォークは、第２観点のティー兼グリーンフォークであって、鍔部では、第１径方向よりも第２径方向への張り出し量が大きい。
【００１１】
また、第４観点のティー兼グリーンフォークは、第２または第３観点のティー兼グリーンフォークであって、鍔部の脚部側の面が、第１径方向から見た場合に両端部分が他方側に湾曲する曲面である。
【００１２】
また、第５観点のティー兼グリーンフォークは、第１から第４観点のいずれかのティー兼グリーンフォークであって、脚部には、中間部分に段差を有する。
【００１３】
また、第６観点のティー兼グリーンフォークは、第５観点のティー兼グリーンフォークであって、脚部では、段差に繋がるリブを有する。
【００１４】
また、第７観点のティー兼グリーンフォークは、第１から第６観点のいずれかのティー兼グリーンフォークであって、脚部では、少なくとも一部分において軸線方向と直角をなす径方向の向きによって径方向の幅が異なる。
【００１５】
また、第８観点のティー兼グリーンフォークは、第２から第６観点のいずれかのティー兼グリーンフォークであって、脚部では、第１径方向の幅に対し、第２径方向の幅が広い部分を有する。
【００１６】
また、第９観点のティー兼グリーンフォークは、第１から第８観点のいずれかのティー兼グリーンフォークであって、胴部では、全部または少なくとも一部分が脚部よりも柔軟な素材で形成されている。
【考案の効果】
【００１７】
第１観点によれば、このティー兼グリーンフォークは、端面にゴルフボールを載置可能な頭部と、頭部から延びる胴部と、胴部から延びる脚部を備えている。このように構成されたティー兼グリーンフォークは、脚部が地面に差し込まれて自立させられ、頭部にゴルフボールが載置されることで、ティーとして機能する。また、このように構成されたティー兼グリーンフォークは、胴部が把持されて、地面に差し込まれた脚部先端を支点に倒されることでグリーンフォークとして機能する。さらに、このティー兼グリーンフォークは、胴部の脚部側の端部分から鍔状に張り出す鍔部を備えている。これにより、このティー兼グリーンフォークは、ゴルファーが地面に差し込む際に、胴部を把持した指で鍔状に張り出す鍔部に対して力を加え把持する力を小さくすることができ、使い勝手がよい。また、このティー兼グリーンフォークは、鍔部で土を止めて胴部を把持するゴルファーの指や爪を汚し難くすることができ、使い勝手がよい。さらに、このティー兼グリーンフォークは、寄せた土を鍔部で軽く押さえることができるため、地面を均しやすく使い勝手がよい。また、このティー兼グリーンフォークは、鍔部のような構成があるものの複雑な構造を要しておらず、大きくコストアップせずに形成することが可能である。したがって、第１観点によれば、一般的なティーと比べて大きくコストアップすることなく、ティーとしてもグリーンフォークとしても使い勝手に優れたティー兼グリーンフォークを提供できる。
【００１８】
第２観点によれば、このティー兼グリーンフォークは、胴部が第１径方向よりも第２径方向の幅が狭い部分を有している。換言すると、胴部が扁平している部分を有している。これにより、このティー兼グリーンフォークは、ゴルファーが把持しやすいように構成されている。したがって、第２観点によれば、取り扱い性に優れたティー兼グリーンフォークを提供できる。
【００１９】
第３観点によれば、このティー兼グリーンフォークは、鍔部が第１径方向よりも第２径方向への張り出し量が大きい。換言すると、鍔部が胴部の厚み方向に大きく張り出している。これにより、このティー兼グリーンフォークは、胴部の第２径方向（厚み方向）に当てられるゴルファーの指をしっかりサポートしつつ、ゴルファーの指が当てられない部分のサポートを減らすことでコンパクトに形成される。したがって、第３観点によれば、携帯性に優れたティー兼グリーンフォークを提供できる。
【００２０】
第４観点によれば、このティー兼グリーンフォークは、鍔部の脚部側の面が第１径方向の側方から見た場合に両端部分が他方側（脚部側）へ湾曲している。これにより、このティー兼グリーンフォークは、第２径方向に傾いた際に鍔部が地面に接触しやすい。したがって、第４観点によれば、第２径方向へ傾けた際に鍔部で地面を均しやすいティー兼グリーンフォークを提供できる。
【００２１】
第５観点によれば、このティー兼グリーンフォークは、脚部の中間部分に段差を有している。これにより、このティー兼グリーンフォークは、この段差を基準に地面に差し込まれれば、ゴルフボールを一定の高さで載置可能である。したがって、第５観点によれば、ティーとして安定性に優れたティー兼グリーンフォークを提供できる。
【００２２】
第６観点によれば、このティー兼グリーンフォークは、脚部に段差に繋がるリブを有する。これにより、このティー兼グリーンフォークは、応力が集中しやすい段差の部分の強度がリブによって増し、脚部を地面に差し込んで傾けた際に破損し難くなる。したがって、第６観点によれば、耐久性を向上させたティー兼グリーンフォークを提供できる。
【００２３】
第７観点によれば、このティー兼グリーンフォークは、脚部の少なくとも一部分が径方向の向きによって径方向の幅が異なる。換言すると、このティー兼グリーンフォークは、脚部の少なくとも一部分が円柱形状ではない。これにより、このティー兼グリーンフォークは、特定の方向に対する強度が高い。したがって、第７観点によれば、特定の方向に倒した場合の耐久性を向上させたティー兼グリーンフォークを提供できる。
【００２４】
第８観点によれば、このティー兼グリーンフォークは、脚部が第１径方向よりも第２径方向の幅が広い部分有している。これにより、このティー兼グリーンフォークは、第２径方向に対する強度が高い。したがって、第８観点によれば、第２径方向に倒した場合の耐久性を向上させたティー兼グリーンフォークを提供できる。
【００２５】
第９観点によれば、このティー兼グリーンフォークは、胴部の全部または少なくとも一部分が脚部よりも柔軟な素材で形成されている。これにより、このティー兼グリーンフォークは、ティーとして使用された場合にゴルフクラブからの衝撃を胴部で逃がしやすい。したがって、第９観点によれば、ティーとして使用された場合にゴルフクラブからの衝撃による破損や紛失の虞を軽減させたティー兼グリーンフォークを提供できる。
【図面の簡単な説明】
【００２６】
【図１】本実施形態のティー兼グリーンフォーク１の一方側から見た斜視図である。
【図２】本実施形態のティー兼グリーンフォーク１の他方側から見た斜視図である。
【図３】本実施形態のティー兼グリーンフォーク１の第１径方向の側面図である。
【図４】本実施形態のティー兼グリーンフォーク１の第２径方向の側面図である。
【図５】本実施形態のティー兼グリーンフォーク１のティーとしての使用方法を説明する説明図ある。
【図６】本実施形態のティー兼グリーンフォーク１のグリーンフォークとしての使用方法を説明する説明図である。
【図７】脚部５の変形例を示す断面図であり、（ａ）〜（ｃ）で異なる３タイプの形状を示す。
【考案を実施するための形態】
【００２７】
以下に、図面を参照して本考案の一実施形態であるティー兼グリーンフォークを説明するが、本考案は、この実施形態に限定されない。
【００２８】
図１〜図４に軸線Ｌを中心に配置した本実施形態のティー兼グリーンフォーク１を示す。各図には、軸線方向をＺ、軸線方向Ｚと直角をなす第１径方向をＸ、軸線方向Ｚおよび第１径方向Ｘと直角をなす第２径方向をＹの符号を付して示している。また、各図には、必要に応じて軸線方向Ｚの一方側をＺ１、他方側をＺ２の符号を付して示している。なお、以下の説明では、軸線方向Ｚ、第１径方向Ｘ、第２径方向Ｙについて、それぞれＺ方向、Ｘ方向、Ｙ方向と簡略して記載する。また、以下の説明では、軸線方向Ｚの一方側Ｚ１、他方側Ｚ２について、それぞれＺ１側、Ｚ２側と簡略して記載する。
【００２９】
本実施形態のティー兼グリーンフォーク１は、ゴルフ競技において、ティーショットの際にゴルフボールを載置するティーとしても、グリーンを捉えたゴルフボールが付けてしまったボールマークを修復するグリーンフォークとしても使用可能な道具である。グリーンフォーク１は、Ｚ１側の頭部２と、頭部２からＺ２側へ延びる胴部３と、胴部３から鍔状に張り出す鍔部４と、胴部３からＺ２側へ延びる脚部５とを備え、全体的にＺ方向に延びるように構成されている。このティー兼グリーンフォーク１は、木または樹脂を素材にして形成されている。また、ティー兼グリーンフォーク１は、射出成形、削り出し、３Ｄプリンターによる成形等の成形方法によって形成される。また、ティー兼グリーンフォーク１は、全体として一回で成形またはいくつかの部位に成形してから接合されることで、一体的な形状に構成されている。なお、ティー兼グリーンフォーク１は、応力集中を防止する観点から、各部の繋がりがなだらかに形成されている。また、ティー兼グリーンフォーク１は、射出成形で形成される場合には、ひけ等を防止する観点から、図３および図４の破線で示すような肉盗み６が形成されて頭部２から胴部３または脚部５にかけて中空に形成されている。
【００３０】
頭部２は、高さが低く直径がφ１５程度の略円柱形状で、Ｚ１側を向く面の中央部分２１が外周部分２２に対して凹んでいる。この頭部２の中央部分２１は、外周部分２２にゴルフボールＢを接触させた際に、ゴルフボールＢの曲面に倣うまたはゴルフボールＢの曲面から逃げる程度に凹んでいる。これにより頭部２は、Ｚ１側の端面にゴルフボールＢを載置可能に形成されている（図５参照）。なお、ここでいう頭部２の中央部分２１の凹みは、後述の肉盗み６のような、頭部２から胴部３または脚部５にかけて形成される深い穴も含む。
【００３１】
胴部３は、Ｚ１側の第１胴部分３１、中間の第２胴部分３２、およびＺ２側の第３胴部分３３からなり、頭部２からＺ２側へ延びている。第１胴部分３１は、Ｚ１側が頭部２に繋がり、Ｚ２側にいくに従って徐々に断面積が小さくなるような略円錐台形状に形成されている。第２胴部分３２は、Ｚ１側がなだらかに第１胴部分３１に繋がると共に、ゴルファーが把持しやすいようにＸ方向の幅に対しＹ方向の幅が狭くなるような扁平形状に形成されている。さらに説明すると、第２胴部分３２は、図３に示すように、Ｚ方向の中央部位よりもややＺ２側においてＹ方向の幅が最も狭くなるように、Ｙ方向両側にゆるやかな曲面を有している。また、第２胴部分３２は、図４に示すように、Ｚ方向の中央部位がＸ方向において最も膨らむように張り出している。また、第２胴部分３２は、Ｙ方向両側の曲面に、図１および図２に示す凸文字の凹凸パターンＳが形成されている。第３胴部分３３は、Ｚ１側が第２胴部分３２になだらかに繋がり、Ｚ２側にいくに従って徐々に断面積が大きくなるような略楕円錐台形状に形成されている。
【００３２】
鍔部４は、略楕円板形状で、胴部３のＺ２側の端部分周囲から外側に張り出している。また、鍔部４は、Ｘ方向よりもＹ方向への張り出し量が大きくなるように形成されている。また、鍔部４の周辺は、Ｘ方向に見た場合（図３参照）に両端がＺ２側に湾曲している。鍔部４の胴部側の面４１および脚部側の面４２は、周辺の湾曲に従って、Ｘ方向に見た場合に両端部分がＺ２側に湾曲する曲面となっている。鍔部４は、胴部側の面４１が胴部３の第３胴部分３３の外周面になだらかに繋がっており、脚部側の面４２が後述の脚部５の第１脚部分５１の外周面になだらかに繋がっている。
【００３３】
脚部５は、Ｚ１側の第１脚部分５１、中間の第２脚部分５２、およびＺ２側の第３脚部分５３からなり、胴部３からＺ２側へ延びている。第１脚部分５１は、Ｚ１側の根元が胴部３と繋がると共に、外周面が鍔部４の脚部側の面４２になだらかに繋がっている。第１脚部分５１は、Ｚ２側にいくに従って徐々に断面積が小さくなるような略楕円錐台形状に形成されている。第１脚部分５１は、鍔部４の形状に倣っており、Ｘ方向よりもＹ方向の幅が広くなっている。第２脚部分５２は、Ｚ１側が第１脚部分５１になだらかに繋がり、略円柱形状に形成されている。第３脚部分５３は、Ｚ１側が第２脚部分５２に繋がり、Ｚ２側の先端に行くに従って徐々に断面積が小さくなるような剣先形状に形成されている。第２脚部分５２と第３脚部分５３との間は、段差５４となっている。さらに、第３脚部分５３には、Ｙ方向２箇所に段差５４に繋がるリブ５５が形成されている。このリブ５５の高さは、段差５４付近の第２脚部分５２の外周面となだらかに繋がっている高さから、Ｚ２側にいくに従って徐々に低くなっている。また、リブ５５の幅は、段差５４付近の幅から、Ｚ２側にいくに従って徐々に狭くなっている。第３脚部分５３は、リブ５５の分だけＸ方向よりもＹ方向の幅が広くなっている。
【００３４】
肉盗み６は、図３および図４の破線で示すように、頭部２から脚部５の第１脚部分５１にかけて、樹脂成型にて形成した際にひけが発生し難いように形成された断面が円形形状の深い穴である。なお、ティー兼グリーンフォーク１は、この肉盗み６により内部が中空になることで、肉盗み６が無い場合よりも軽量化されている。
【００３５】
続いて、本実施形態のティー兼グリーンフォーク１のティーとしての使用方法を説明する。ゴルファー（Ｈ）は、ティー兼グリーンフォーク１の脚部５を地面Ｇに対して垂直に刺し込む。刺し込まれたティー兼グリーンフォーク１は、段差５４で差し込み必要な力が急に大きくなり刺し込みが止められて、通常、図５に示すような段差５４から先が地面に刺し込まれた状態に自立させられる。次にゴルファー（Ｈ）は、頭部２の端面にゴルフボールＢを載置する。ティー兼グリーンフォーク１は、頭部２の中央部分２１が凹んでいるため、ゴルフボールＢを頭部２の外周部分２２で保持する。このようにして、ティー兼グリーンフォーク１は、ゴルフボールＢをティーショットに適した高さで維持するティーとて機能する。なお、ゴルファー（Ｈ）は、ティー兼グリーンフォーク１を地面Ｇに刺し込む際に、胴部３を把持する力を弱め、把持する指で鍔部４を押してもよい。
【００３６】
続いて、本実施形態のティー兼グリーンフォーク１のグリーンフォークとしての使用方法を説明する。まず、グリーン上に深いボールマーク（凹み）ＥをつけてしまったゴルファーＨは、図６（ａ）に示すように、ティー兼グリーンフォーク１でボールマークＥの真ん中を数回ほぐす。具体的には、ゴルファーＨは、第２胴部分３２を把持して脚部５をボールマークＥの中心に矢印Ｍ１方向に数回刺し込むようにティー兼グリーンフォーク１を用いる。なお、ゴルファーＨは、ティー兼グリーンフォーク１を地面Ｇに刺し込む際に、第２胴部分３２を把持する力を弱め、把持する指で鍔部４を押してもよい。次に、ゴルファーＨは、図６（ｂ）に示すように、ティー兼グリーンフォーク１でボールマークＥの周囲の土を寄せてボールマークＥを均す。具体的には、ゴルファーＨは、第２胴部分３２を把持して脚部５をボールマークＥの周囲に差し込んでから矢印Ｍ２方向に倒すようにティー兼グリーンフォーク１を用いる。この際、ゴルファーＨは、ティー兼グリーンフォーク１を、脚部５の第３脚部分５３の先端側を支点して倒す。このように、ティー兼グリーンフォーク１が倒されることによって、ボールマークＥは、脚部５で周囲の土が中央に寄せられると共に、寄せられた土が鍔部４で軽く押さえられて均される。最後に、ゴルファーＨは、必要であればゴルフクラブ等でさらに軽く地面Ｇの盛り上がりを押さえる。このようにしてティー兼グリーンフォーク１は、ボールマークＥを修正するグリーンフォークとして機能する。なお、ゴルファーＨは、ボールマークＥの周囲にティー兼グリーンフォーク１を、第１脚部分５１やリブ５５が形成された第３脚部分５３の幅が狭い面をボールマークＥの中央側に向け、ボールマークＥ側に倒すことが耐久性の点で好ましいことに留意する。一方で、ゴルファーＨは、第１脚部分５１やリブ５５が形成された第３脚部分５３の幅が広い面をボールマークＥの中央側に向け、ボールマークＥ側に倒して多くの土を寄せる使い方もできる点に留意する。また、芝の根が切れて枯れたり、地面に空洞ができたりしてしまうため、ゴルファーＨは、ボールマークＥの修正の際に決して第３脚部分５３の先端側を持ち上げてはいけないことに留意する。
【００３７】
以上説明したように、ティー兼グリーンフォーク１は、端面にゴルフボールＢを載置可能な頭部２と、頭部２から延びる胴部３と、胴部３から延びる脚部５を備えている。このように構成されたティー兼グリーンフォーク１は、脚部５が地面Ｇに差し込まれて自立させられ、頭部２にゴルフボールＢが載置されることで、ティーとして機能する。また、このように構成されたティー兼グリーンフォーク１は、胴部３がゴルファーＨに把持されて、地面Ｇに差し込まれた脚部５先端を支点に倒されることでグリーンフォークとして機能する。さらに、このティー兼グリーンフォーク１は、胴部３のＺ２側の端部分から鍔状に張り出す鍔部４を備えている。これにより、このティー兼グリーンフォーク１は、ゴルファーＨが地面Ｇに差し込む際に、胴部３を把持した指で鍔部４のＺ１側の面に対して力を加え把持する力を小さくすることができ、使い勝手がよい。また、このティー兼グリーンフォーク１は、鍔部４で土を止めて胴部３を把持するゴルファーＨの指や爪を汚し難くすることができ、使い勝手がよい。さらに、このティー兼グリーンフォーク１は、寄せた土を鍔部４のＺ２側の面で軽く押さえることができるため、地面Ｇを均しやすく使い勝手がよい。また、このティー兼グリーンフォーク１は、鍔部４のような構成があるものの複雑な構造を要しておらず、大きくコストアップせずに形成することが可能である。したがって、ティー兼グリーンフォーク１のように構成すれば、一般的なティーと比べて大きくコストアップすることなく、ティーとしてもグリーンフォークとしても使い勝手に優れるようにできる。
【００３８】
また、ティー兼グリーンフォーク１は、胴部３がＸ方向よりもＹ方向の幅が狭く扁平する第２胴部分３２を有している。これにより、このティー兼グリーンフォーク１は、ゴルファーＨが把持しやすいように構成されている。したがって、ティー兼グリーンフォーク１のように構成すれば、取り扱い性に優れるようにできる。
【００３９】
また、ティー兼グリーンフォーク１は、鍔部４がＸ方向よりもＹ方向への張り出し量が大きい。換言すると、鍔部４が胴部３の第２胴部分３２の厚み方向に大きく張り出している。これにより、このティー兼グリーンフォーク１は、第２胴部分３２のＹ方向（厚み方向）に当てられるゴルファーＨの指をしっかりサポートしつつ、ゴルファーＨの指が当てられない部分のサポートを減らすことでコンパクトに形成される。したがって、ティー兼グリーンフォーク１のように構成すれば、携帯性に優れるようにできる。
【００４０】
また、ティー兼グリーンフォーク1は、鍔部の脚部側の面が第１径方向の側方から見た場合に両端部分が他方側（脚部側）へ湾曲している。これにより、このティー兼グリーンフォーク１は、Ｙ方向へ傾けた際に鍔部４が地面Ｇに接触しやすいよう構成されている。したがって、ティー兼グリーンフォーク１のように構成すれば、Ｙ方向へ傾けた際に鍔部４で地面を均しやすくできる。
【００４１】
また、ティー兼グリーンフォーク１は、脚部５の中間部分に段差５４を有している。これにより、このティー兼グリーンフォーク１は、この段差５４を基準に地面Ｇに差し込まれれば、ゴルフボールＢを一定の高さで載置可能である。したがって、ティー兼グリーンフォーク１のように構成すれば、安定性に優れたティーとすることができる。
【００４２】
また、ティー兼グリーンフォーク１は、脚部５の段差５４に繋がるリブ５５を有する。これにより、このティー兼グリーンフォーク１は、応力が集中しやすい段差５４の部分の強度がリブ５５によって増し、脚部５を地面Ｇに差し込んで傾けた際に破損し難くなる。したがって、ティー兼グリーンフォーク１のように構成すれば、耐久性を向上させることができる。
【００４３】
また、ティー兼グリーンフォーク１は、脚部５の少なくとも一部分が径方向の向きによって径方向の幅が異なる。換言すると、このティー兼グリーンフォーク１は、脚部５の少なくとも一部分が円柱形状ではない。これにより、このティー兼グリーンフォーク１は、特定の方向に対する強度が高い。したがって、ティー兼グリーンフォーク１のように構成すれば、特定の方向に倒した場合の耐久性を向上させることができる。
【００４４】
このことについてさらに詳しく述べると、ティー兼グリーンフォーク１は、脚部５がＸ方向よりもＹ方向の幅が広い第１脚部分５１およびリブ５５が形成された第３脚部分５３を有している。これにより、このティー兼グリーンフォーク１は、Ｙ方向に対する強度が高い。したがって、ティー兼グリーンフォーク１のように構成すれば、Ｙ方向に倒した場合の耐久性を向上させることができる。
【００４５】
なお、本実施形態のティー兼グリーンフォーク１は、把持しやすさ、耐久性等を考慮して、胴部３の一部、鍔部４、および脚部５の一部において、Ｘ方向とＹ方向とから見た場合の幅が異なるように構成されているが、これに限らない。鍔部４により胴部３を把持する指や爪が土で汚れることを軽減されればよく、例えば、胴部３、鍔部４、および脚部５が全体的に、円柱形状のような軸線Ｌに対する回転対称形状であってもよい。
【００４６】
また、本実施形態のティー兼グリーンフォーク１は、頭部２が略円柱形状で周囲が繋がって形成されているが、これに限らない。例えば、頭部２は、複数の突起が円環状に配置されて、突起の先端でゴルフボールＢを載置可能なものでもよい。
【００４７】
また、本実施形態のティー兼グリーンフォーク１は、胴部３に形成されている凹凸パターンＳが凸文字であったが、これに限らない。凹凸パターンＳは、ゴルファーＨの把持する指が滑りにくいようにできれば好ましく、凹文字、凸模様、または凹模様といったものを採用してもよい。
【００４８】
また、本実施形態のティー兼グリーンフォーク１は、胴部３の第２胴部３２に凹凸パターンＳが形成されているが、形成されていなくてもよい。また、凹凸パターンＳの代わりに胴部３の第２胴部３２の中央に凹みが形成されていてもよい。
【００４９】
また、本実施形態のティー兼グリーンフォーク１は、持ち運び用のフックをひっかける等に用いられる貫通孔が特に形成されていないが、例えば鍔部４や胴部３の第２胴部３２に貫通孔が形成されていてもよい。
【００５０】
また、本実施形態のティー兼グリーンフォーク１は、脚部５に１段の段差５４が形成されていたが、この段差が無くても、複数段であってもよい。また、段差が無い代わりに高さを示すラインが示されていてもよい。
【００５１】
また、本実施形態のティー兼グリーンフォーク１は、脚部５の一部では断面が円形形状に形成されていたが、全体的に断面が非円形形状に形成されていてもよい。例えば、図７に示すように脚部５Ａ、５Ｂ、５Ｃの断面がそれぞれ全体的に（ａ）三角形状、（ｂ）楕円形状、（ｃ）長方形状であってもよい。
【００５２】
また、本実施形態のティー兼グリーンフォーク１は、全体的に同一で硬質の素材によって形成することを前提としているが、異なる素材で形成してもよい。例えば、脚部５は地面Ｇに刺し込むため、硬質である必要があるが、胴部３の全部または少なくとも一部分を柔軟な素材で形成してもよい。柔軟な素材で形成された胴部３の全部または一部分は、ティーとして使用された場合にゴルフクラブからの衝撃を逃がす。このように、胴部３の全部または一部分が脚部５よりも柔軟な素材で形成されたティー兼グリーンフォーク１の構成とすれば、ティーとして使用された場合にゴルフクラブからの衝撃による破損や紛失の虞を軽減させることができる。
【符号の説明】
【００５３】
１‥ティー兼グリーンフォーク
２‥頭部
３‥胴部
４‥鍔部
５‥脚部
２１‥頭部の中央部分
Ｌ‥軸線
Ｘ‥第１径方向
Ｙ‥第２径方向
Ｚ‥軸線方向
Ｚ１‥一方側
Ｚ２‥他方側
４２‥（鍔部の）脚部側の面
５４‥段差
５５‥リブ
【図１】
0003213900.tif 000003
【図２】
0003213900.tif 000004
【図３】
0003213900.tif 000005
【図４】
0003213900.tif 000006
【図５】
0003213900.tif 000007
【図６】
0003213900.tif 000008
【図７】
0003213900.tif 000009